(57)【要約】【課題】スタッガードゲート溝を有するゲート装置において、シフトレバーの誤操作防機構を簡単な構造にて形成させる。【解決手段】変速機におけるＤ、Ｎ、Ｒ、Ｐ等の各シフト位置へのシフト操作を担うシフトレバー２と、シフトレバー２が挿入されて移動するスタッガードゲート溝１５を有するゲートプレート１と、ゲートプレート１を保持するとともに上記シフトレバー２等を収容する箱状のケース５と、からなるようにする。ゲートプレート１は、全体が所定のプラスチック材にて所定の厚さを有するように一体成形される。ゲートプレート１には、シフトレバー２のシフト方向及びセレクト方向の、互いに直角な２方向への折れ曲がった形態からなるスタッガードゲート溝１５が設けられるようになっている。【選択図】              図１
2004224244.tif 000002
【特許請求の範囲】
【請求項１】
シフトレバーが移動するものであって略直角状に折れ曲がった形態のスタッガードゲート溝を有するゲートプレートを主に形成されるシフトレバー用ゲート装置において、上記ゲートプレートを所定のプラスチック材にて形成するとともに所定の板厚を有する部材にて形成するようにし、このようなゲートプレートの上記スタッガードゲート溝内であって、Ｎ位置のシフト方向への最終部及びＲ位置のシフト方向への最終部のうちの少なくともいずれか一方のところであり、かつ、Ｄ位置から遠ざかる側の側面部のところに、上記シフトレバーのシフト方向への移動を規制する堰を設けるようにした構成からなることを特徴とするシフトレバー用ゲート装置。
【請求項２】
請求項１記載のシフトレバー用ゲート装置において、上記堰を、ゲートプレートの表面側から裏面側の全域またはその一部域にかけてスタッガードゲート溝の中央部側へ徐々にせり出すように形成されたテーパ状の形態からなるようにしたことを特徴とするシフトレバー用ゲート装置。
【発明の詳細な説明】
【０００１】
【発明の属する技術分野】
本発明は、変速操作用シフトレバーが各シフト位置に移動する際のガイドの役目を果たすものであって、特に、Ｄ、Ｎ、Ｒ、Ｐの各位置がジグザグ状に形成されたスタッガードゲート溝を有するシフトレバー用ゲート装置に関するものである。
【０００２】
【従来の技術】
従来の変速操作用シフトレバー装置におけるゲート装置、特に、スタッガードゲート装置においては、シフトレバーをＤ位置からＮ位置へ、あるいはＮ位置からＲ位置へとシフト操作する際に、誤ってＰ位置にシフトされてしまうおそれがあるので、このＰ位置へ誤操作を防止するために種々の機構が考えられている。その一例として、例えば特開２０００−１６８３８８号公報記載のようなものが挙げられる。
【０００３】
【発明が解決しようとする課題】
ところで、上記従来のものは、略直角に折れ曲がった形態からなるスタッガードゲート溝の一部に突起を設けたり、あるいは、当該スタッガードゲート溝の一部の幅を狭くしたりすることによって、操作者の意志に反してＲ位置あるいはＰ位置にシフトレバーが操作されるのを抑止するようにしているものである。従って、この従来のものにおけるゲートプレートの、そのスタッガードゲート溝の構造は複雑な形態を有するようになり、このようなスタッガードゲート溝を有するゲートプレートの製造、特に、インジェクション成形手段による成形加工においては、製造コストが高くならざるを得ないと言う問題点がある。このような問題点を解決するために、単純な形状からなるスタッガードゲート溝を主に形成されるものであって、誤操作防止機能を有するシフトレバー用ゲート装置を提供しようとするのが、本発明の目的（課題）である。
【０００４】
【課題を解決するための手段】
上記課題を解決するために、本発明においては次のような手段を講ずることとした。すなわち、請求項１記載の発明においては、シフトレバーが移動するものであって略直角状に折れ曲がった形態のスタッガードゲート溝を有するゲートプレートを主に形成されるシフトレバー用ゲート装置に関して、上記ゲートプレートを所定のプラスチック材にて形成するとともに所定の板厚を有する部材にて形成するようにし、このようなゲートプレートの上記スタッガードゲート溝内であって、Ｎ位置のシフト方向への最終部及びＲ位置のシフト方向への最終部のうちの少なくともいずれか一方のところであり、かつ、Ｄ位置から遠ざかる側の側面部のところに、上記シフトレバーのシフト方向への移動を規制する堰を設けるようにした構成を採ることとした。
【０００５】
このような構成を採ることにより、本発明のものにおいては、シフトレバーのＤ位置からＮ位置あるいはＲ位置へのシフト操作時において、操作者の意志に反してＰ位置へ誤操作されてしまうのを、上記堰のところで防止することができるようになる。すなわち、本発明のものにおいては、Ｐ位置への誤操作防止機能が発揮されることとなる。
【０００６】
次に、請求項２記載の発明について説明する。このものも、その基本的な点は上記請求項１記載のものと同じである。すなわち、本発明においては、請求項１記載のシフトレバー用ゲート装置に関して、上記堰を、ゲートプレートの表面側から裏面側の全域またはその一部域にかけてスタッガードゲート溝の中央部側へ徐々にせり出すように形成されたテーパ状の形態からなるようにした構成を採ることとした。このような構成を採ることにより、本発明のものにおいては、上記堰を有するゲートプレートをインジェクション成形手段を用いることによって効率良く形成（製造）することができるようになり、スタッガードゲート溝を有するゲートプレートの生産性の向上を図ることができるようになる。すなわち、本発明のものにおいては、上記ゲートプレートを、例えば表面側に設けられる上型と、裏面側に設けられる下型と、の合わせ部に所定のキャビティ空間を設けておくようにすることによって、インジェクション成形手段を用いることによって上記堰を含めて全体を効率良く形成することができるようになる。その結果、スタッガード溝を有するゲートプレートの製造コストの低減化、延いては本シフトレバー用ゲート装置全体の製造コストの低減化を図ることができるようになる。
【０００７】
【発明の実施の形態】
本発明の実施の形態について、図１ないし図３を基に説明する。本実施の形態に関するものの、その構成は、図１に示す如く、変速機におけるＤ、Ｎ、Ｒ、Ｐ等の各シフト位置へのシフト操作を担うシフトレバー２と、当該シフトレバー２が挿入されて移動するスタッガードゲート溝１５を有するゲートプレート１と、当該ゲートプレート１を保持するとともに上記シフトレバー２等を収容する箱状のケース５と、からなることを基本とするものである。
【０００８】
このような基本構成からなるものにおいて、上記ゲートプレート１は、図２に示す如く、全体が所定のプラスチック材にて所定の厚さを有するように一体成形されるようになっているものである。そして、このようなゲートプレート１には、シフトレバー２のシフト方向であるＹ矢印方向、及びセレクト方向であるＸ矢印方向の、互いに直角な２方向への折れ曲がった形態からなるゲート溝（スタッガードゲート溝）１５が設けられるようになっている。このスタッガードゲート溝１５を含めて、全体がプラスチック材にて一体的に成形されるようになっているものである。
【０００９】
このような構成からなるスタッガードゲート溝１５のところには、例えば図３に示す如く、本スタッガードゲート溝１５のシフト方向（Ｙ矢印方向）溝部であって、Ｄ位置から遠ざかる側の側壁のところに、本スタッガードゲート溝１５の溝幅の中央部側へ突出するように形成された突起状の堰１５１が設けられるようになっている。この堰１５１は、本実施の形態においては、図３に示す如く、スタッガードゲート溝１５のＲ位置のシフト方向への最終部の側壁のところに設けられるようになっているものである。そして、この堰１５１は、図２において、ゲートプレート１の表面側１１から裏面側１９にかけて、スタッガードゲート溝１５の側壁部がテーパ状の傾斜面を形成するように設定されているものである。このような堰１５１を設けることによって、シフトレバー２が図３のＤ位置から矢印方向にシフト操作された場合においても、シフトレバー２は、図３の二点鎖線図示の如く、スタッガードゲート溝１５のＲ位置のシフト方向最終部のところに設けられた堰１５１のところに係合して、それ以上、シフト方向側、すなわち、Ｐ位置側へはシフトされない（移動しない）ようになる。なお、このような堰は、上記Ｒ位置の外に、例えば図３に示す如く、Ｎ位置に設けるようにしても良い。すなわち、上記スタッガードゲート溝１５のＮ位置におけるシフト方向最終部のところに堰１５１’を設けることによって、Ｄ位置からＮ位置へのシフト操作の際に、不意にＲ位置へシフトされるのを防止することができるようになる。すなわち、これによってＲ位置への誤操作防止機能を発揮させることができるようになる。
【００１０】
このような堰１５１、１５１’は、スタッガードゲート溝１５の側壁部の一部に、その表面側１１から裏面側１９にかけてテーパ状の傾斜面を有するように形成されるものであるところから、本ゲートプレート１の成形加工時、例えばインジェクション成形加工時に、スタッガードゲート溝１５の形成と一緒に形成させることができるようになる。すなわち、インジェクション成形時に表面側１１に設けられる上型と、裏面側１９に設けられる下型と、の型合わせ部に所定のキャビティ空間を設けておくこと等によって、効率良く、上記堰１５１、１５１’を形成させることができるようになる。このように、本実施の形態のものにおいては、誤操作防止用の堰１５１、１５１’を有するスタッガードゲート式のゲートプレート１を、インジェクション成形手段を用いて効率良く形成（製造）することができるようになる。すなわち、スタッガードゲート溝１５を有するゲートプレート１の製造コストの低減化、延いてはこのようなゲートプレート１を有するシフトレバー用ゲート装置についての製造コストの低減化を図ることができるようになる。
【００１１】
【発明の効果】
本発明によれば、シフトレバーが移動するものであって略直角状に折れ曲がった形態のスタッガードゲート溝を有するゲートプレートを主に形成されるシフトレバー用ゲート装置に関して、上記ゲートプレートを所定のプラスチック材にて形成するとともに所定の板厚を有する部材にて形成するようにし、このようなゲートプレートの上記スタッガードゲート溝内であって、Ｎ位置のシフト方向への最終部またはＲ位置のシフト方向への最終部のところであり、かつ、Ｄ位置から遠ざかる側の側面部のところに、上記シフトレバーのシフト方向への移動を規制する堰を設けるようにした構成を採ることとしたので、シフトレバーのＤ位置からＮ位置あるいはＲ位置へのシフト操作時において、操作者の意志に反してＰ位置へ誤操作されてしまうのを、上記堰のところで防止することができるようになった。すなわち、本発明のものにおいては、Ｐ位置への誤操作防止機能を発揮させることができるようになった。
【００１２】
また、本発明においては、上記堰を、ゲートプレートの表面側から裏面側にかけてスタッガードゲート溝の中央部側へ徐々にせり出すように形成されたテーパ状の形態からなるようにした構成を採ることとしたので、このような堰を有するゲートプレートをインジェクション成形手段を用いることによって効率良く形成（製造）することができるようになり、スタッガードゲート溝を有するゲートプレートの生産性の向上を図ることができるようになった。すなわち、本発明のものにおいては、上記ゲートプレートを、例えば表面側に設けられる上型と、裏面側に設けられる下型と、の合わせ部に所定のキャビティ空間を設けておくようにすることによって、インジェクション成形手段を用いることによって上記堰を含めて全体を効率良く製造することができるようになった。その結果、スタッガードゲート溝を有するゲートプレートの製造コストの低減化、延いては本シフトレバー用ゲート装置全体の製造コストの低減化を図ることができるようになった。
【図面の簡単な説明】
【図１】本発明の全体構成を示す斜視図である。
【図２】本発明の主要部を成すゲートプレートの全体構成を示す斜視図である。
【図３】ゲートプレートのスタッガードゲート溝側壁部に設けられる堰の全体構成を示す平面図である。
【符号の説明】
１  ゲートプレート
１１  表面側
１５  スタッガードゲート溝
１５１  堰
１５１’  堰
１９  裏面側
２  シフトレバー
５  ケース
【図１】
2004224244.tif 000003
【図２】
2004224244.tif 000004
【図３】
2004224244.tif 000005